(57)【要約】【課題】呼び出し要求に応答した第２ユーザを特定する。【解決手段】他のワイヤレス送受信器２０ｍから無線信号として送信される応答信号を受信したことに応じて、他のワイヤレス送受信器２０ｍが呼び出し要求に応答した旨を、応答信号に含まれる第２の識別情報と関係付けられたワイヤレス送受信器２０ｍを保持する第２ユーザを特徴付けるシンボル情報の表示により通知すると共に、呼び出し要求を通知する鳴動を停止させるよう制御することで実現する。【選択図】図１
2007124158.tif 000002
【特許請求の範囲】
【請求項１】
無線信号を送信する第１の送信手段と、第１ユーザによる自発的な操作、又は前記第１ユーザの所定の動きを検知したことに応じて、当該ワイヤレス送信器を一意に特定する第１の識別情報を含む呼出信号を無線信号として送信するよう前記第１の送信手段を制御する第１の制御手段とを有するワイヤレス送信器と、
無線信号を受信する受信手段と、
前記受信手段によって呼出信号を受信したことに応じて、前記ワイヤレス送信器による呼び出し要求を、前記呼出信号に含まれる第１の識別情報と関係付けられた当該ワイヤレス送信器を特徴付けるシンボル情報の表示及び鳴動により通知する通知手段と、
前記通知手段により、前記ワイヤレス送信器からの呼び出し要求が通知された際に、呼び出し要求に応答する旨を入力する操作入力手段と、
前記操作入力手段が操作されたことに応じて、当該ワイヤレス送受信器を一意に特定する第２の識別情報を含み、呼び出し要求に応答した旨を通知する応答信号を無線信号として送信する第２の送信手段と、
前記受信手段によって他のワイヤレス送受信器から無線信号として送信される応答信号を受信したことに応じて、前記他のワイヤレス送受信器が呼び出し要求に応答した旨を、前記応答信号に含まれる第２の識別情報と関係付けられたワイヤレス送受信器を保持する第２ユーザを特徴付けるシンボル情報の表示により通知させると共に、呼び出し要求を通知する鳴動を停止させるよう前記通知手段を制御する第２の制御手段とを有するワイヤレス送受信器とを備えること
を特徴とするワイヤレスコールシステム。
【発明の詳細な説明】
【技術分野】
【０００１】
本発明は、呼出信号を送信して呼び出し要求を行うワイヤレスコールシステムに関し、詳しくは、呼び出し要求に対する応答を明確に通知するワイヤレスコールシステムに関する。
【背景技術】
【０００２】
介護施設や病院などでの被介護者に対する介護者の迅速な応答を目的として、被介護者に割り当てられたナースコール子機より、ナースコール子機と有線接続されたナースコール親機に呼出信号を送信することで、介護者に呼び出し要求があった旨を通知するナースコールインターホンシステムが考案、実施されている（例えば、特許文献１参照。）。
【０００３】
このようなナースコールインターホンシステムのナースコール親機は、例えば、被介護者が所在する部屋の部屋番号情報を表示装置に表示させることで、どの被介護者から呼び出し要求があったのかを視覚的に通知したり、介護者に迅速に気付かせるために鳴動によって呼び出し要求を通知したりする。
【特許文献１】特開昭６４−７６１９８号公報
【発明の開示】
【発明が解決しようとする課題】
【０００４】
病院などでは、被介護者が重症患者であったり、対応に特別な医療知識を必要とする患者であることも稀ではなく、介護者の技能レベルや医療知識レベルでは対応できない場合もある。
【０００５】
しかしながら、従来のナースコールインターホンシステムでは、上述したような表示や鳴動を停止させることで、介護者が呼び出し要求に応答したことを通知していたため、具体的には、どの介護者が応答したのかが他の介護者に対して全く分からない状態となっていた。
【０００６】
つまり、このような従来のシステムでは、応答した介護者が特定できないため、応答した介護者の技能レベルや医療知識レベルが未熟であり的確な処置を行うことができないといった場合であっても、すぐに応援対応する必要があるのかを把握できなかった。したがって、応答した介護者は、現場に到着して被介護者の状況を確認してから始めて他の熟練した介護者を呼び出すことになり、労力と時間とを浪費してしまうといった問題があった。
【０００７】
そこで、本発明は、上述したような問題を解決するために案出されたものであり、呼び出し要求に応答したユーザが誰であるのかを他のユーザに明確に通知することができるワイヤレスコールシステムを提供することを目的とする。
【課題を解決するための手段】
【０００８】
本発明のワイヤレスコールシステムは、無線信号を送信する第１の送信手段と、第１ユーザによる自発的な操作、又は前記第１ユーザの所定の動きを検知したことに応じて、当該ワイヤレス送信器を一意に特定する第１の識別情報を含む呼出信号を無線信号として送信するよう前記第１の送信手段を制御する第１の制御手段とを有するワイヤレス送信器と、無線信号を受信する受信手段と、前記受信手段によって呼出信号を受信したことに応じて、前記ワイヤレス送信器による呼び出し要求を、前記呼出信号に含まれる第１の識別情報と関係付けられた当該ワイヤレス送信器を特徴付けるシンボル情報の表示及び鳴動により通知する通知手段と、前記通知手段により、前記ワイヤレス送信器からの呼び出し要求が通知された際に、呼び出し要求に応答する旨を入力する操作入力手段と、前記操作入力手段が操作されたことに応じて、当該ワイヤレス送受信器を一意に特定する第２の識別情報を含み、呼び出し要求に応答した旨を通知する応答信号を無線信号として送信する第２の送信手段と、前記受信手段によって他のワイヤレス送受信器から無線信号として送信される応答信号を受信したことに応じて、前記他のワイヤレス送受信器が呼び出し要求に応答した旨を、前記応答信号に含まれる第２の識別情報と関係付けられたワイヤレス送受信器を保持する第２ユーザを特徴付けるシンボル情報の表示により通知させると共に、呼び出し要求を通知する鳴動を停止させるよう前記通知手段を制御する第２の制御手段とを有するワイヤレス送受信器とを備えることにより、上述の課題を解決する。
【発明の効果】
【０００９】
本発明によれば、呼び出し要求に応答したユーザが誰であるのかを他のユーザに明確に通知することができるため、状況に応じた臨機応変な対応を迅速に実行することを可能とする。また、他のワイヤレス送受信器から応答した旨が通知されたことに応じて、呼び出し要求を通知する通知手段による鳴動が停止されるため、呼び出し要求に応答しない第２ユーザは、鳴動に煩わされることなく自身の仕事の遂行に集中することが可能となる。
【発明を実施するための最良の形態】
【００１０】
以下、本発明の実施の形態について図面を参照して説明する。
【００１１】
まず、図１を用いて、本発明の実施の形態として示すワイヤレスコールシステムについて説明をする。
【００１２】
このワイヤレスコールシステムは、介護者による介護が必要な被介護者が居住している、例えば、介護施設、病院、自宅などに適用され、この介護者と被介護者とによって利用される。なお、以下の説明においては、ワイヤレスコールシステムを利用する被介護者を非システム管理者側のユーザ（以下、第１ユーザと呼ぶ。）とし、介護者をシステム管理者側のユーザ（以下、第２ユーザと呼ぶ。）とする。
【００１３】
図１に示すようにワイヤレスコールシステムは、第１ユーザによって利用される複数のワイヤレス送信器１０ｎ（ｎは、自然数）と、第２ユーザによって利用されワイヤレス送信器１０ｎと所定の周波数帯域を利用して無線通信することできる携帯型の複数のワイヤレス送受信器２０ｍ（ｍは、自然数）とを備えている。
【００１４】
このワイヤレスコールシステムは、第１ユーザによりワイヤレス送信器１０ｎを介してなされる呼び出し要求に対して応答したワイヤレス送受信器２０ｍを保持する第２ユーザを特定し、他のワイヤレス送受信器２０ｍに通知することができる。
【００１５】
（ワイヤレス送信器１０ｎの構成）
ワイヤレス送信器１０ｎは、ワイヤレス送受信器２０ｍに無線信号を送信するアンテナ１１、無線送信部１２と、送信するデータに基づき所定の周波数の搬送波を変調する変調部１３と、当該ワイヤレス送信器１０ｎを統括的に制御する信号処理部１４と、少なくとも当該ワイヤレス送信器１０ｎを一意に特定する第１の識別情報を記憶しているデータ記憶部１５と、ワイヤレス送受信器２０ｍへ送信する無線信号の送信要求を入力する、例えば、押下ボタンなどである操作部１６とを備えている。
【００１６】
また、ワイヤレス送信器１０ｎは、第１ユーザによる操作部１６の操作に応じて、ワイヤレス送受信器２０ｍへ無線信号を送信する代わりに、センサ１７によって第１ユーザのなんらかの動作が検知されたことに応じて、ワイヤレス送受信器２０ｍへ無線信号を送信するものであってもよい。
【００１７】
第１ユーザが操作部１６を操作する場合というのは、第１ユーザ自身が主体的に緊急な事態が生じたことを知らせようとしている状態である。しかしながら、第１ユーザ自身が緊急であるという認識を持たずになんらかの行動をした場合であっても、第１ユーザが危険に陥ったりといった可能性を含んでいる場合もある。センサ１７は、このような第１ユーザの行動を検知するためのセンサであり、例えば、第１ユーザのベッドからの離床を検知することができるフットセンサや、第１ユーザの徘徊を検知することができる人感センサである。
【００１８】
このようなワイヤレス送信器１０ｎは、図示しない電池を内蔵し、小型形状とすることができるため、例えば、第１ユーザによる操作部１６の操作によって無線信号を送信する構成とした場合には、第１ユーザが身につけて保持可能とすることで、第１ユーザの利便性を向上させることができる。また、センサ１７の検知結果に応じて無線信号を送信する構成とした場合には、ワイヤレス送信器１０ｎをセンサ１７の近傍に設置することで断線などの影響を極力排除し、センサ１７の検知結果を取得できる可能性を高めるようにする。
【００１９】
信号処理部１４は、操作部１６の操作又はセンサ１７の検知結果に応じて、データ記憶部１５に記憶されている当該ワイヤレス送信器１０ｎを一意に特定する第１の識別情報を読み出し、変調部１３、無線送信部１２を制御して、読み出した第１の識別情報を添付した無線信号をアンテナ１１を介してワイヤレス送受信器２０ｍに送信する。この無線信号は、例えば、ワイヤレス送受信器２０ｍを呼び出すための呼出信号などである。
【００２０】
（ワイヤレス送受信器２０ｍの構成）
図１に示すように、ワイヤレス送受信器２０ｍは、他のワイヤレス送受信器２０ｍに無線信号を送信し、ワイヤレス送信器１０ｎ又は他のワイヤレス送受信器２０ｍから送信される無線信号を受信するアンテナ２１、無線送受信部２２と、送信するデータに基づき所定の周波数の搬送波を変調し、受信した無線信号に変調されているデータを復調して取り出す変復調部２３と、当該ワイヤレス送受信器２０ｍを統括的に制御する信号処理部２４と、データ記憶部２５と、ユーザによる操作命令を入力する、例えば、押下ボタンなどである操作部２６と、ワイヤレス送信器１０ｎからの呼び出し要求を表示する、例えば、液晶ディスプレイなどである表示部２７と、呼び出し要求に応じて発音する発音部２８と、同じく呼び出し要求に応じて振動する振動部２９とを備える。
【００２１】
データ記憶部２５は、少なくともワイヤレスコールシステムを構成する全てのワイヤレス送信器１０ｎを一意に特定する第１の識別情報とワイヤレス送信器１０ｎを特徴付けるシンボル情報とを関係付けて記憶している。また、データ記憶部２５は、ワイヤレスコールシステムを構成する全てのワイヤレス送受信器２０ｍを一意に特定する第２の識別情報とワイヤレス送受信器２０ｍを保持している第２ユーザを特徴付けるシンボル情報とを関係付けて記憶している。
【００２２】
データ記憶部２５が記憶している第１の識別情報と関係付けられたワイヤレス送信器１０ｎを特徴付けるシンボル情報は、ワイヤレス送信器１０ｎが設置されている病室の部屋番号情報や第１ユーザが寝ているベッドを特定するベッド番号情報などである。このワイヤレス送信器１０ｎを特徴付けるシンボル情報は、呼出信号の送信元がどこであるのかといった場所を特定する情報である。
【００２３】
また、データ記憶部２５が記憶している第２の識別情報と関係付けられたワイヤレス送受信器２０ｍを保持している第２ユーザを特徴付けるシンボル情報は、ワイヤレス送受信器２０ｍを保持している第２ユーザに与えられたユーザ番号情報などである。第２ユーザを特徴付けるシンボル情報は、ユーザ番号情報に限定されることなく第２ユーザの名前や、第２ユーザを特徴付けるアイコンなどであってもよい。また、介護者である第２ユーザの技術レベル、知識レベルなどに基づき設定されたレベル情報などであってもよい。このワイヤレス送受信器２０ｍを保持している第２ユーザを特徴付けるシンボル情報は、第２ユーザがどんな人物なのかを特定する情報である。
【００２４】
このようなワイヤレス送受信器２０ｍは、例えば、図２に示すように、介護者である第２ユーザが常に携帯できるような形状、重量となっており、内蔵される電池などで電源を確保している。図２に示すように、ワイヤレス送受信器２０ｍは、操作部２６として、第２ユーザが第１ユーザによる呼び出し要求に応答した旨を入力するための応答ボタン２６Ａを備えている。
【００２５】
また、図２に示すように、ワイヤレス送受信器２０ｍは、表示部２７として、液晶ディスプレイ２７Ｄを備えている。この液晶ディスプレイ２７Ｄは、データ記憶部２５に記憶されている第１の識別情報と関係付けられたワイヤレス送信器１０ｎを特徴付けるシンボル情報を表示する表示領域ＤＦ１と、データ記憶部２５に記憶されている第２の識別情報と関係付けられたワイヤレス送受信器２０ｍを保持している第２ユーザを特徴付けるシンボル情報を表示する表示領域ＤＦ２とを備えている。
【００２６】
信号処理部２４は、ワイヤレス送信器１０ｎから無線信号として送信された呼出信号を、アンテナ２１、無線送受信部２２を介して受信したことに応じて、変復調部２３で復調された呼出信号に添付されている第１の識別情報を用いて、データ記憶部２５を参照し、この第１の識別情報と対応付けて記憶されているワイヤレス送信器１０ｎを特徴付けるシンボル情報を読み出す。そして、信号処理部２４は、読み出したワイヤレス送信器１０ｎを特徴付けるシンボル情報を表示部２７の表示領域ＤＦ１に表示させて呼び出し要求を通知する。このとき、信号処理部２４は、発音部２８、振動部２９を鳴動させることで、呼び出し要求を確実に第２ユーザに通知させる。
【００２７】
信号処理部２４は、第２ユーザによって応答ボタン２６Ａが押下されたことに応じて、データ記憶部２５に記憶されている当該ワイヤレス送受信器２０ｍを一意に特定する第２の識別情報を読み出し、変復調部２３、無線送受信部２２を制御して、読み出した第２の識別情報を添付した無線信号である応答信号をアンテナ２１を介して、他のワイヤレス送受信器２０ｍに送信する。
【００２８】
無線信号として送信されたこの応答信号を、アンテナ２１、無線送受信部２２を介して受信した他のワイヤレス送受信器２０ｍの信号処理部２４は、変復調部２３で復調された無線信号に添付されている第２の識別情報を用いて、データ記憶部２５を参照し、この第２の識別情報と対応付けて記憶されているワイヤレス送受信器２０ｍを保持している第２ユーザを特徴付けるシンボル情報を読み出す。そして、信号処理部２４は、読み出したワイヤレス送受信器２０ｍを保持している第２ユーザを特徴付けるシンボル情報を表示部２７の表示領域ＤＦ２に表示させて、呼び出し要求にどの第２ユーザが応答したかを通知する。
【００２９】
この応答信号を受信したワイヤレス送受信器２０ｍを介して第２ユーザは、ワイヤレス送信器１０ｎからの呼び出し要求に対する応答をどの第２ユーザが実行したかを把握することができる。
【００３０】
信号処理部２４は、第２ユーザにより応答ボタン２６Ａが押下された場合、ワイヤレス送信器１０ｎから送信される呼出信号を受信したことで実行されている表示部２７の表示、発音部２８、振動部２９の鳴動といった呼び出し要求の通知動作のうち、発音部２８、振動部２９による鳴動による通知動作を停止させる。また、信号処理部２４は、他のワイヤレス送受信器２０ｍから送信される応答信号を受信した場合、表示部２７の表示、発音部２８、振動部２９の鳴動といった呼び出し要求の通知動作のうち、発音部２８、振動部２９による鳴動による通知動作を停止させる。
【００３１】
［呼び出し要求処理動作］
続いて、図３に示すタイミングチャートを用いて、ワイヤレス送信器１０ｎから呼び出し要求をした際のワイヤレスコールシステムの処理動作について説明をする。なお、説明のため、ワイヤレスコールシステムは、病院に設置されているものとし、ワイヤレス送信器１０１から呼び出し要求がさなれ、ワイヤレス送受信器２０１、ワイヤレス送受信器２０２を介して、それぞれを保持する第２ユーザに呼び出し要求が通知される場合を想定する。
【００３２】
ステップＳ１において、ワイヤレス送信器１０１の信号処理部１４は、第１ユーザによって操作部１６が操作されたか、又は第１ユーザの動作をセンサ１７で検知したかどうかを判断する。信号処理部１４は、第１ユーザによって操作部１６が操作された、又はセンサ１７で動作が検知された場合は、ステップＳ２へと進み、それ以外の場合は、アイドル状態となる。
【００３３】
ステップＳ２において、信号処理部１４は、操作部１６が第１ユーザに操作された、又はセンサ１７によって第１ユーザの動作が検知されたことに応じて、呼出信号を生成し無線信号として送信する。このとき、信号処理部１４は、データ記憶部１５に記憶されている自身を一意に特定する第１の識別情報を呼出信号に添付する。
【００３４】
ステップＳ３において、ワイヤレス送信器１０１の信号処理部１４は、所定の時間経過したかどうかを判断する。信号処理部１４は、所定の時間経過していない場合は、呼出信号の送信を定期的に実行する。また、信号処理部１４は、所定の時間経過した場合には、アイドル状態となる。
【００３５】
ステップＳ４において、ワイヤレス送受信器２０１、２０２の信号処理部２４は、ワイヤレス送信器１０１から無線信号として送信された呼出信号を受信したかどうかを判断する。信号処理部２４は、呼出信号を受信した場合はステップＳ５へと進め、受信できなかった場合はアイドル状態を継続する。
【００３６】
ステップＳ５において、ワイヤレス送受信器２０１、２０２の信号処理部２４は、受信した呼出信号に添付された第１の識別情報を用いて、データ記憶部２５を参照し、この第１の識別情報と関係付けて記憶されているワイヤレス送信器１０１を特徴付けるシンボル情報を取得する。例えば、信号処理部２４は、シンボル情報としてデータ記憶部２５からワイヤレス送信器１０１が設置されている病室番号情報、ベッド番号情報などを取得する。
【００３７】
信号処理部２４は、取得したワイヤレス送信器１０１を特徴付けるシンボル情報を表示部２７の表示領域ＤＦ１に表示させると共に、発音部２８、振動部２９を鳴動させて、ワイヤレス送信器１０１から呼び出し要求がなされた旨を第２ユーザに通知する。
【００３８】
ステップＳ６において、呼び出し要求の通知を受けたワイヤレス送受信器２０１、２０２のいずれかが呼び出し要求に対して応答する旨を応答ボタン２６Ａを押下して入力する。ここでは、説明のためワイヤレス送受信器２０１が応答ボタン２６Ａを押下して、呼び出し要求に応答したものとする。
【００３９】
ステップＳ７において、ワイヤレス送受信器２０１の信号処理部２４は、第２ユーザによって応答ボタン２６Ａが押下されたことに応じて、応答信号を生成し無線信号として送信する。このとき、信号処理部２４は、データ記憶部２５に記憶されている自身を一意に特定する第２の識別情報を応答信号に添付する。
【００４０】
ステップＳ８において、ワイヤレス送受信器２０２の信号処理部２４は、ワイヤレス送受信器２０１から無線信号として送信された応答信号を受信したかどうかを判断する。信号処理部２４は、応答信号を受信した場合はステップＳ９へと進め、受信できなかった場合はアイドル状態を継続する。
【００４１】
ステップＳ９において、ワイヤレス送受信器２０２の信号処理部２４は、受信した応答信号に添付された第２の識別情報を用いて、データ記憶部２５を参照し、この第２の識別情報と対応して記憶されているワイヤレス送受信器２０１を保持する第２ユーザを特徴付けるシンボル情報を取得する。例えば、信号処理部２４は、シンボル情報として、データ記憶部２５から、第２ユーザ毎に付与されたユーザ番号情報などを取得する。
【００４２】
ワイヤレス送受信器２０２の信号処理部２４は、取得したワイヤレス送受信器２０１を保持する第２ユーザを特徴付けるシンボル情報を表示部２７の表示領域ＤＦ２に表示させて応答した第２ユーザが誰であるのかを通知すると共に、発音部２８、振動部２９の鳴動を停止させる。
【００４３】
これにより、ワイヤレス送受信器２０２を保持する第２ユーザは、応答したワイヤレス送受信器２０１を保持する第２ユーザが誰であるのかを把握することができるため、応答した第２ユーザに応じた対応を実行することができる。
【００４４】
例えば、応答した第２ユーザが熟練した技能レベルの高い介護者であった場合には、特に応援に赴く必要がないため、自身の担当する業務を継続する。また、応答した第２ユーザが研修中であったり技能レベルの未熟な介護者であった場合には、表示部２７の表示領域ＤＦ１に表示されている病室番号情報、ベッド番号情報などを参照して応援対応することができる。
【００４５】
また、応答信号を受信したことに応じたワイヤレス送受信器２０２の信号処理部２４の制御により、発音部２８、振動部２９の鳴動が停止されるため、ワイヤレス送受信器２０２を保持する第２ユーザは、鳴動に煩わされることなく自身の業務遂行に集中することができる。
【００４６】
ステップＳ１０において、ワイヤレス送受信器２０１の信号処理部２４は、応答ボタン２６Ａが押下されたことに応じて、発音部２８、振動部２９の鳴動を停止させる。これにより、ワイヤレス送受信器２０１を保持する第２ユーザは、鳴動に煩わされることなく呼び出し要求への応答対応を実行することができる。このとき、呼び出し要求をしたワイヤレス送信器１０１の場所を示すシンボル情報は、表示部２７の表示領域ＤＦ１に表示されたままであるので、ワイヤレス送受信器２０１を保持する第２ユーザは、呼び出し要求された場所へ確実に移動することができる。
【００４７】
（実施の形態の効果）
このようにして、本発明の実施の形態として示すワイヤレスコールシステムは、ワイヤレス送信器１０ｎから、第１ユーザの操作又は第１ユーザのなんらかの動作によって、無線信号として送信される呼出信号をワイヤレス送受信器２０ｍが受信し、呼出信号を受信したことに応じて、呼び出し要求があった旨を、ワイヤレス送信器１０ｎを特徴付けるシンボル情報の表示と鳴動により第２ユーザに通知する。そして、ワイヤレス送受信器２０ｍによって、呼び出し要求を通知されたことに応じて、第２ユーザが応答ボタン２６Ａを操作して応答信号を他のワイヤレス送受信器２０ｍに送信する。応答信号を受信したワイヤレス送受信器２０ｍは、応答信号を送信したワイヤレス送受信器２０ｍを保持する第２ユーザを特徴付けるシンボル情報を表示させ、鳴動を停止させる。
【００４８】
これにより、応答信号を受信したワイヤレス送受信器２０ｍを保持する第２ユーザは、どの第２ユーザがワイヤレス送信器１０ｎからなされた呼び出し要求に応答したのかを把握することができるため、応答した第２ユーザに応じた柔軟な対応処理を実行することができる。また、応答信号を受信したことで鳴動が停止されるため、継続する鳴動により第２ユーザの業務を阻害することを回避できる。
【００４９】
なお、本発明の実施の形態として示すワイヤレスコールシステムのワイヤレス送信器１０ｎとワイヤレス送受信器２０ｍ、又はワイヤレス送受信器２０ｍ同士は、直接、無線通信を行い第１の識別情報、第２の識別情報の送受信を実行しているように示しているが、本発明はこれに限定されることなく、例えば、中継装置などを介して行うようにしてもよい。
【００５０】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００５１】
【図１】本発明の実施の形態として示すワイヤレスコールシステムの構成について説明するための図である。
【図２】ワイヤレス送受信器の外観構成の一例を示した図である。
【図３】前記ワイヤレスコールシステムの呼び出し要求処理動作について説明するためのタイミングチャートである。
【符号の説明】
【００５２】
１０ｎ  ワイヤレス送信器
１４  信号処理部
１５  データ記憶部
１６  操作部
１７  センサ
２０ｍ  ワイヤレス送受信器
２４  信号処理部
２５  データ記憶部
２６  操作部
２６Ａ  応答ボタン
２７  表示部
２８  発音部
２９  振動部
【図１】
2007124158.tif 000003
【図２】
2007124158.tif 000004
【図３】
2007124158.tif 000005